【事件の表示】
　特願２００５−３３４３９１「デジタル無線電話機」拒絶査定不服審判事件〔平成１８年　４月１３日出願公開、特開２００６−１０１５４７〕について、次のとおり審決する。
【結　論】
　本件審判の請求は、成り立たない。
【理　由】
第１　手続の経緯と本願発明
　
１　手続の経緯
　本願は、平成８年２月２９日に出願した特願平８−４３５１０号の一部を平成１５年９月２９日に特願２００３−３３７０９１号として新たな特許出願とし、さらにその一部を平成１７年１１月１８日に新たな特許出願としたものであって、平成２０年７月１１日付けで拒絶理由の通知がなされ、これに応答して同年９月１９日付で手続補正がされ、その後、平成２１年２月９日付けで最後の拒絶理由の通知がなされ、その後、同年８月２６日付けで拒絶査定がなされ、これに対し、同年１１月２５日に拒絶査定に対する審判請求がされたものである。
　
２　本願発明
　特許請求の範囲の請求項１に係る発明(以下、「本願発明」という。）は、平成２０年９月１９日付け手続補正書により補正された特許請求の範囲の記載からみて、その請求項１に記載された以下のとおりのものである。
　
「制御情報を含む符号化デジタル信号により変調された無線信号を受信して復調出力する無線機手段と、
　該無線機手段から出力される前記復調された符号化デジタル信号から前記制御情報を復号する制御信号処理手段と、
　前記復号された制御情報に含まれる他機の電話番号情報の有無を通話回線が確立する以前に検出する電話番号情報検出手段と、
　前記電話番号情報を複数記憶する着信情報記憶手段と、
　自機に所定の動作を行わせる操作信号を入力する操作手段と、
　前記電話番号情報に基づく表示情報を表示する表示手段と
を備え、
　複数の前記表示情報は、前記表示手段に表示するために順位付けされ、
　当該順位付けに従い、前記操作信号に応じて前記表示情報が前記表示手段に表示され、
　前記順位付けが最も高い表示情報が表示された後に前記操作信号が入力されると、前記最も高い表示情報に続いて前記順位付けが最も低い表示情報が表示されること
を特徴とするデジタル無線電話機。」
　
第２　引用発明
　
１　引用発明１
（１）　原審の拒絶理由に引用された、本願の出願日前に頒布された特開平６−６２１０８号公報（以下、「引用例１」という。）には「電話装置」に関して、図面とともに以下の事項が記載されている。
　
　ア　「【０００１】
【産業上の利用分野】本発明は、ディジタル携帯電話システム、すなわち送信情報に発呼者の電話番号およびメッセージ情報についての情報が付加される通信システムに使用される携帯型や自動車型の電話装置に関するものである。」（第２頁第１欄）
　
　イ　「【０００７】
【実施例】以下、本発明の実施例を図面を用いて詳細に説明する。図１は本発明の一実施例における電話装置の構成図で、この電話装置は、アンテナ１と、受信系のＲＦ・ＩＦ部２と、復調器３と、受信系のＴＤＭＡ処理回路４と、Ｄ／Ａ変換回路５と、音声処理回路６と、制御部７と、ＰＬＬ周波数シンセサイザ部８と、Ａ／Ｄ変換回路９と、送信系のＴＤＭＡ処理回路１０と、変調器１１と、送信系のＲＦ・ＩＦ部１２と、メモリ１３，１４と、リアルタイム時計部１５と、キー部１６と、表示部１７と、リンガー１８と、スピーカ１９と、マイクロホン２０とを備えている。受信系において、ＲＦ・ＩＦ部２は、ＲＦフィルタやＲＦアンプやＭＩＸ回路やＩＦフィルタやＩＦアンプなどからなり、アンテナ１から入力された高周波信号のうち所定の周波数帯域の信号を取り出して増幅し、制御部７からの制御信号によりＰＬＬ周波数シンセサイザ部８からの信号に基づいて基準クロックを作出し、この基準クロックと高周波信号とをミキシングし、トランジスタの非直線部分を使って発生する周波数スペクトラムの差分のみを取り出す。復調器３は、ゲートアレイやＤＳＰ（ディジタルシグナルプロセッサ）などで構成されるデータ復調回路を含んでおり、ＲＦ・ＩＦ部２からの周波数信号をπ／４シフト４相ＱＰＳＫ復調する。ＴＤＭＡ処理回路４は、復調器３からの信号をＴＤＭＡ処理し、音声信号部分をＶＳＥＬＰ処理すると共に、メッセージなどの制御データ部分に対して復号や誤り訂正などの処理を行う。Ｄ／Ａ変換回路５は、ＴＤＭＡ処理回路４からのディジタルの音声信号をアナログの音声信号に変換する。音声処理回路６は、Ｄ／Ａ変換回路５からのアナログ信号に対して増幅処理やインピーダンス変換を施し、リンガー１８やスピーカ１９に供給する。制御部７は、ＴＤＭＡ処理回路４からの制御データをメモリ１３に格納し、その制御データに基づいて処理を行う。一方、送信系において、ユーザーにより発せられたマイクロホン２０からの音声は、音声処理回路６を介してＡ／Ｄ変換回路９に送られ、アナログの音声信号がディジタル信号に変換されるとともにＶＳＥＬＰ処理が行われる。制御部７は、メモリ１３内の各種テーブルを用いて、メッセージなどのデータに対してコード変換や誤り訂正を行う。ＴＤＭＡ処理回路１０は、制御部７からのデータやＡ／Ｄ変換回路９からの音声信号をＴＤＭＡ処理する。変調器１１は、ＴＤＭＡ処理回路１０からの信号をπ／４シフト４相ＱＰＳＫ変調する。ＲＦ・ＩＦ部１２は、変調器１１からの信号を設定チャンネルに応じた信号とミキシングし、必要な周波数成分だけを取り出し、電力増幅し、出力分だけを効率よくアンテナ１を通して送出する。なお、メモリ１３は、各種テーブルや受信した制御データなどを例えば図２のように記憶する。メモリ１４は、ユーザーにより登録された任意数の相手の名前と電話番号とを対応させて例えば図３のように記憶している。リアルタイム時計部１５は、タイムスタンプ用の時計制御を行う。キー部１６は、入力されるキーの制御を行う。表示部１７は、ＬＥＤやＬＣＤなどの表示素子（図示せず）を制御する。また制御部７は、簡易留守番モード時に着信したときに相手に対してメッセージ情報を転送して簡��留守番モードになっていることを通知する通知手段や、通知手段からのメッセージ情報を受け取った発呼者側からの電話番号とメッセージ情報とを検知する検知手段を実現しており、検知手段により検知された電話番号およびメッセージ情報とその検知時刻とをメモリ１３（この摘記事項の「メモリ１４」は、【０００７】段落中のメモリ１３の説明や図４の記載からみて、メモリ１３の誤記と認められるから、メモリ１３と訂正した。）に記憶させる。」（第２頁第２欄〜第３頁第３欄）
　
　ウ　「【０００８】次に上記電話装置の受信動作の要部について、図４のフローチャートを参照しながら説明する。ユーザーにより簡易留守番キーがオンされ、待ち受け中に着信メッセージを受信すると（ステップＳ１）、簡易留守番モードになっているか否かを判断する（ステップＳ２）。この場合簡易留守番モードになっているので、呼び出し音を鳴らさず、シグナルまたはキーパッドファシリティのメッセージを転送することによって相手側に簡易留守番モードであることを知らせ（ステップＳ３）、所定時間を計時するタイマーをスタートさせる（ステップＳ４）。なお、シグナルおよびキーパッドファシリティは、ＲＣＲ  ＳＴＤ−２７Ａに準拠している。シグナルは、網が端末に対してトーンや呼び出し信号を生成するような情報を伝達するもので、図５のような構造をしており、図６のような内容である。キーパッドファシリティは、端末キーパッドにより設定されたＩＡ５キャラクタを運ぶため、あるいはユーザーが網に対してＰＢ信号の送出の要求を行うために用いるもので、図７のような構造をしており、図８のような内容である。次にメッセージや相手の発信者の電話番号を受信したか否かを判断し（ステップＳ５）、受信すればそれをメモリ１３（この摘記事項の「メモリ１４」は、【０００７】段落中のメモリ１３の説明や図４の記載からみて、メモリ１３の誤記と認められるから、メモリ１３と訂正した。）に格納する（ステップＳ６）。また、メモリ１４を検索して発信者の電話番号と一致する電話番号があるか否かを調べ、あれば相手の名前を電話番号と対応させてメモリ１４に記憶させる。次に確認メッセージを転送し（ステップＳ７）、切断メッセージを送信および受信して（ステップＳ８）、切断状態に入る。次にメモリ１４に記憶したメッセージがあるか否かを判断し（ステップＳ９）、あればＬＥＤを点滅させると共に、メッセージの件数をＬＣＤに表示し（ステップＳ１０）、待ち受け状態に戻る。なお、ステップＳ９において、メモリ１３に記憶したメッセージがないと判断すれば、待ち受け状態に戻る。またステップＳ５において、メッセージや相手の発信者の電話番号を受信していないと判断すれば、タイマーがタイムアウトしたか否かを判断し（ステップＳ１１）、タイムアウトしていればステップＳ８に進み、タイムアウトしていなければステップＳ５に戻る。またステップＳ２において、簡易留守番モードになっていないと判断すれば、通常の着呼動作に進んで呼び出し音を鳴らし、通話チャンネルに入ってユーザーが話をする（ステップＳ１２）。」（第３頁第３欄〜第４欄）
　
　エ　「【００１１】このように、簡易留守番モード時に着信したときに発呼者側に対してメッセージ情報を転送して簡易留守番モードになっていることを通知する通知手段と、通知手段からのメッセージ情報を受け取った発呼者側からの電話番号とメッセージ情報とを検知する検知手段とを制御部７により実現し、検知手段により検知された電話番号およびメッセージ情報をメモリ１３（この摘記事項の「メモリ１４」は、【０００７】段落中のメモリ１３の説明や図４の記載からみて、メモリ１３の誤記と認められるから、メモリ１３と訂正した。）に記憶し、メモリ１３（この摘記事項の「メモリ１４」は、【０００７】段落中のメモリ１３の説明や図４の記載からみて、メモリ１３の誤記と認められるから、メモリ１３と訂正した。）に記憶された電話番号およびメッセージ情報をＬＣＤにより表示するので、例えば飛行機や電車などに乗車しているときや自動車を運転しているときやコンサートの会場にいるときなど、電話に出たくても出ることができない状況にある場合、電話をかけてきた相手の電話番号やメッセージを自動的に記録でき、後でその内容を確認できることから、電話をかけてきた相手や用件を随時知ることができるので非常に便利である。しかも通話チャンネルに入ることなく上記の処理を実行するので、通話チャンネル用の周波数を使用することがなく、電波の有効利用を図ることができる。
【００１２】また本実施例のように、電話番号から相手の名前を検索して記憶するように構成すれば、相手の電話番号を覚えておく必要がないので非常に便利である。また本実施例のように、電話番号やメッセージと共に着信時刻を記憶して表示すれば、いつ電話がかかってきたかを知ることができるので非常に便利である。またメモリ１３（この摘記事項の「メモリ１４」は、【０００７】段落中のメモリ１３の説明や図４の記載からみて、メモリ１３の誤記と認められるから、メモリ１３と訂正した。）の記憶内容を利用して、電話をかけてきた相手に後で自動的に発信することも容易に行える。」（第４頁第５欄）
　
　引用例１における上記摘記事項 イ の「ＴＤＭＡ処理回路４は、復調器３からの信号をＴＤＭＡ処理し、音声信号部分をＶＳＥＬＰ処理すると共に、メッセージなどの制御データ部分に対して復号や誤り訂正などの処理を行う」の記載および図１、並びに技術常識を勘案すると、復調器３から出力された信号には、ＶＳＥＬＰ方式により符号化された音声信号部分と、符号化された制御データ部分とが、時分割（ＴＤＭＡ）処理により多重化されて含まれているものである。なお、制御データを含む符号化された信号とは、ディジタル信号処理がなされているものであるから、当然、ディジタル信号である。
　
　同摘記事項 イ の「アンテナ１から入力された高周波信号のうち所定の周波数帯域の信号を取り出して増幅し」の記載からみて、アンテナ１により受信されるのは、高周波による無線の信号である。
　
　同摘記事項 イ の「制御部７は、ＴＤＭＡ処理回路４からの制御データをメモリ１３に格納し、その制御データに基づいて処理を行う」、「なお、メモリ１３は、各種テーブルや受信した制御データなどを例えば図２のように記憶する」、「また、制御部７は、・・(略)・・発呼者側からの電話番号とメッセージ情報とを検知する検知手段を実現しており、検知手段により検知された電話番号およびメッセージ情報とその検知時刻とをメモリ１３に記憶させる」の記載、同摘記事項ウの「次にメッセージや相手の発信者の電話番号を受信したか否かを判断し（ステップＳ５）、受信すればそれをメモリ１３に格納する（ステップＳ６）」の記載、および図４のＳ５〜Ｓ６の記載、並びに技術常識を参酌すると、制御部７は、検知手段を実現し、前記復調された制御データから発信者の電話番号を取得し、図２に示されるような形でメモリ１３に記憶するものである。
　なお、この摘記事項 イ、ウ のうち、上記で抜粋した「メモリ１４」の記載部分は、【０００７】段落中のメモリ１３の説明や図４の記載からみて、メモリ１３の誤記と認められるから、メモリ１３と訂正した。
　
　同摘記事項 イ の「キー部１６は、入力されるキーの制御を行う」の記載、並びに技術常識からみて、キー部１６は、所定の動作を行わせるための操作の信号を入力するものである。
　
（２）　したがって、この電話装置の構成をもとに、引用例１の上記摘記事項 ア 〜 エ および図面（図１，図２，図３，図４）に記載された電話装置の構成を参酌すると、上記引用例１には、以下の発明（以下、「引用発明１」という。）が開示されている。
　
　（引用発明１）
　「制御データを含む符号化されたディジタル信号により変調された無線信号を受信して復調出力するＲＦ・ＩＦ部と、復調器と、該復調器から出力される前記復調された符号化されたディジタル信号から前記制御データを復号するＴＤＭＡ処理回路と、
　前記復号された制御データに含まれる発信者の電話番号の情報の有無を通話チャネルに入ることなく検出する検知手段と、
　前記電話番号の情報を複数記憶するメモリと、
　自機に所定の動作を行わせる操作信号を入力するキー部と、
　前記電話番号の情報に基づく表示情報を表示する表示部と、
を備えた
　電話装置。」
　
２　引用発明２
（１）同じく、原審の拒絶理由に引用された、本願の出願日前に頒布された特開平６−２５２９９６号公報（以下、「引用例２」という。）には「電話のリダイヤル装置」に関して、図面とともに以下の事項が記載されている。
　
　オ　「【０００１】
【産業上の利用分野】本発明は、電話のリダイヤル装置に係り、特に電話番号を記憶するメモリ、電話番号表示部及び発信キーを利用して、現在より前にかけた複数の電話番号について発信することができる電話のリダイヤル装置に関する。」（第２頁第１欄）
　
　カ　「【０００８】
【実施例】以下、本発明の一実施例を図１〜図３に基づいて説明する。図１は本発明を移動体電話に適用した場合の実施例を示す全体の構成図、図２はハンドセットの正面図である。図１において、移動体電話は、通信に関する制御、電話番号データの書き込み処理、書き込まれた電話番号の発信処理、その他の移動通信に必要な各種の機能を有するＣＰＵ１１、および入出力インタフェースであるハンドセット１２を備え、ハンドセット１２は、その表示制御部１３を介してＣＰＵ１１に接続されている。さらにＣＰＵ１１には、ＣＰＵ１１での処理データ等を格納するＲＡＭ１４、処理プログラム等を格納するＲＯＭ１５およびリダイヤル用の電話番号を記憶する不揮発性メモリ１６がバス１７を介して接続されている。
【０００９】ハンドセット１２は、図２に示すように、電源キー２１、発信キー２２、終了キー２３、テンキー２４、リダイヤルキー２５、ファンクションキー２６、クリアキー２７、アップ用音量調節キー２８、ダウン用音量調節キー２９および電話番号表示部３０等を備える。なお、本実施例において、テンキー２４は入力手段を、不揮発性メモリ１６は記憶手段を、電話番号表示部３０は表示手段を、ハンドセット表示制御部１３は表示制御手段を、ＣＰＵ１１およびＲＯＭ１５は発信制御手段および処理手段を、リダイヤルキー２５および音量調節キー２８、２９は表示切り替えキーをそれぞれ構成する。
【００１０】次に、上記のように構成された本実施例の動作を図を参照して説明する。図１において、ハンドセット表示制御部１３では、ハンドセット１２上のテンキー２４などを押下することにより入力されたデータを文字コードに変換し、ハンドセット１２の電話番号表示部３０に表示したり、ＣＰＵ１１からのデータを決められたフォーマットに変換して電話番号表示部３０に出力したりする。また、ＣＰＵ１１はハンドセット表示制御部１３から送られたデータの内容にしたがい、通信処理や各種メモリへのアクセス命令を与える。
【００１１】次に電話番号を不揮発性メモリ１６に書き込む場合について述べる。まず、ハンドセット１２のテンキー２４を操作することによるキー入力や短縮ダイヤル機能等の方法により電話番号を入力する。入力された文字や数字は、表示制御部１３によって文字コードに変換され、電話番号表示部３０に表示される。入力された電話番号が電話番号表示部３０に表示されている状態で発信キー２２を押すと、発信命令と電話番号がＣＰＵ１１に取り込まれると同時に、発信日時などの発信履歴データや電話番号を不揮発性メモリ１６に書き込むためにＣＰＵ１１内のフィーチャー（不図示）によりライブラリ関数が呼び出される。この呼び出されたライブラリ関数に基づき、ＣＰＵ１１内のバスドライバ（不図示）およびバス１７を通して不揮発性メモリ１６をアクセスし、電話番号と発信履歴データを不揮発性メモリ１６に書き込む。このようにして、キー操作により電話番号が入力される毎に電話番号と発信履歴データが順次不揮発性メモリ１６に書き込まれ記憶される。なお、本実施例における不揮発性メモリ１６に蓄積できる電話番号と発信履歴データの件数は最大９件である。
【００１２】次に、複数リダイヤル機能を使って前にかけた電話番号を不揮発性メモリ１６から読み出す場合について説明する。この場合は、ハンドセット１２上のリダイヤルキー２５を押す。すると、このキーデータは表示制御部１３を経てＣＰＵ１１内のフィーチャー（不図示）に伝送される。リダイヤルキー押下のデータを受け取ったフィーチャーではライブラリ関数を呼び出し、これによりバスドライバ（不図示）、バス１７を経て不揮発性メモリ１６にアクセスし、発信履歴データおよび電話番号を読み出す。読み出された発信履歴データと電話番号は表示命令とともに表示制御部１３に出力され、表示制御部１３では、決められたフォーマットに従いハンドセット１２の電話番号表示部３０に電話番号および発信履歴データを表示する。
【００１３】図２に示すように電話番号表示部３０を持つ移動体電話では、電源キー２１を押して電源を投入すると、日付、時刻などの初期画面が電話番号表示部３０に図３の画面１に示すように表示される。この初期画面が表示された状態において、リダイヤルキー２５を押すと、前回かけた電話番号と発信日時の発信履歴データが電話番号表示部３０に、図３の画面２に示すように表示される。続けてリダイヤルキー２５または音量調節キー２９を押すと、更にその前にかけた電話番号と発信日時の発信履歴データが電話番号表示部３０に、図３の画面３に示す如く表示される。以下同様にして、リダイヤルキー２５または音量調節キー２９を繰り返し押下すれば、電話番号と発信日時の発信履歴データは、時間的に最も先に不揮発性メモリに蓄積された電話番号のものから電話番号表示部３０に、図３の画面４乃至画面１０に示す如く順番に表示され、１０回目にリダイヤルキー２５または音量調節キー２９を押下すると、画面２の表示に移行する。
【００１４】また、音量調節キー２８を繰り返し押下した場合には、上記と逆に時間的に最も後で不揮発性メモリに蓄積された電話番号のものから順番に電話番号表示部３０に表示される。すなわち、電話番号表示部３０の表示は図３の画面１０から画面２に向けて変化することになる。従って、音量調節キー２８、２９を押下するだけの操作で、ユーザーが電話したい相手の電話番号を探すことができる。また、この９件分の電話番号と発信履歴データはメモリ上でリンクしているから、図３の画面２が電話番号表示部３０に表示されている状態で音量調節キー２８を押すと、表示は画面１０に移行し、逆に図３の画面１０が電話番号表示部３０に表示されているときにリダイヤルキー２５または音量調節キー２９を押すと、表示は画面２に移行する。」（第３頁第３欄〜第４頁第５欄）
　
　キ　「【００１６】上述のような本実施例においては、ハンドセット１２のテンキー２４を操作することによるキー入力や短縮ダイヤル機能等の方法により入力され発信された、過去から現在に至る複数件の電話番号（９件分）とその発信履歴データを、不揮発性メモリ１６に格納しておき、リダイヤルキー２５または音量調節キー２８、２９を押下操作することにより、不揮発性メモリ１６から読み出した電話番号と発信履歴データを電話番号表示部３０に順番に表示する。このようにしてリダイヤルで呼び出した電話番号に電話をかける場合は、通話相手の電話番号が電話番号表示部３０に表示されている状態で発信キー２２を押すことにより、通常の発信動作が行われる。したがって、より多くの電話番号に対して、簡単なキー操作でリダイヤルすることができる。これに伴い、手の自由度が低い場面での使用が予想される移動体電話のキー操作がより簡便になる。また、リダイヤルキー２５または音量調節キー２８、２９による複数リダイヤルで電話番号と発信履歴データを呼び出して電話番号表示部３０に表示されているときに、ファンクションキー２６の押下に続きクリアキー２７を押すことにより、ユーザーにとって不要になった不揮発性メモリ１６に蓄積されている全ての電話番号と発信履歴データを消去することができる。
【００１７】なお、上記実施例では、携帯電話、自動車電話などの移動体電話について述べたが本発明はこれに限定されず、家庭用電話機等にも同様に適用することができる。また、不揮発性メモリ１６に蓄積される電話番号および発信履歴データの件数は、上記実施例に示すように９件分に限らず、それ以上であってもよい。」（第４頁第５欄〜第６欄）
　
　引用例２における上記摘記事項カの「リダイヤルキー２５および音量調節キー２８、２９は表示切り替えキーをそれぞれ構成する」の記載からみて、ここには、所定の表示の動作を行わせるための操作信号を入力する表示切り替えキーが記載されている。
　
　同摘記事項 カ の「リダイヤルキー２５または音量調節キー２９を繰り返し押下すれば、電話番号と発信日時の発信履歴データは、時間的に最も先に不揮発性メモリに蓄積された電話番号のものから電話番号表示部３０に、図３の画面４乃至画面１０に示す如く順番に表示され、１０回目にリダイヤルキー２５または音量調節キー２９を押下すると、画面２の表示に移行する」、「また、この９件分の電話番号と発信履歴データはメモリ上でリンクしているから、図３の画面２が電話番号表示部３０に表示されている状態で音量調節キー２８を押すと、表示は画面１０に移行し、逆に図３の画面１０が電話番号表示部３０に表示されているときにリダイヤルキー２５または音量調節キー２９を押すと、表示は画面２に移行する。」の記載および図３、並びに技術常識を勘案すると、ここでは、最新時刻の履歴データが順位付けの最も高い表示情報として順位付けがされており、
・その順位付けに従い、操作信号に応じて表示情報が表示手段に表示されること、
・順位付けが最も高い表示情報が表示された後に操作信号が入力されると、順位付けが最も高い表示情報に続いて順位付けが最も低い表示情報が表示されること、
が、それぞれ記載されている。
　
（２）　したがって、引用例２の上記摘記事項 オ 〜 キ および図面（図１，図２，図３）に記載された電話のリダイヤル装置の動作を参酌すると、上記引用例２には、以下の発明（以下「引用発明２」という。）が開示されている。
　
　（引用発明２）
　「自機に所定の表示動作を行わせる操作信号を入力する表示切り替えキーと、
　電話番号に基づく表示情報を表示する表示手段と、
を備え、
　複数の前記表示情報は、前記表示手段に表示するために順位付けされ、
　当該順位付けに従い、前記操作信号に応じて前記表示情報が前記表示手段に表示され、
　前記順位付けが最も高い表示情報が表示された後に前記操作信号が入力されると、前記最も高い表示情報に続いて前記順位付けが最も低い表示情報が表示される電話のリダイヤル装置。」
　
第３　対比
　
１　本願発明と引用発明１とを対比する。
　
（１）　データは情報であるから、引用発明１の「制御データ」は、本願発明の「制御情報」に相当である。
　
（２）　引用発明１の「符号化されたディジタル信号」は、本願発明の「符号化デジタル信号」に相当する。
　
（３）　引用発明１の「ＲＦ・ＩＦ部」と「復調器」は、本願発明の「無線機手段」と表現上の違いはあるものの実質的に同じ機能を果たす手段である。
　
（４）　引用発明１の「ＴＤＭＡ処理回路」は、復調された制御データを復号しており、回路はそのための手段であるから、本願発明の「制御信号処理手段」と実質的に同じものである。
　
（５）　引用発明１の「発信者の電話番号の情報」とは、他の電話機から発信された発信者の電話番号の情報のことであるから、本願発明の「他機の電話番号情報」に相当する。
　
（６）　引用発明１において「通話チャネルに入」ることは、通話回線を確立させるということである。
　
（７）　引用発明１の「検知手段」は、電話番号情報の有無を検出しているから、電話番号情報検出手段ということができる。
　
（８）　引用発明１の「発信者の電話番号の有無を通話チャネルに入ることなく検出する」こととは、他の電話機から発信された発信者の電話番号の情報を、通話回線を確立することなく検出するものであるから、本願発明の「他機の電話番号情報の有無を通話回線が確立する以前に検出する」ことと、他機の電話番号情報の有無を通話回線を確立することなく検出するという点で一致する。
　
（９）　引用発明１の「メモリ」は、発信者の電話番号情報を記憶しているから、実質的に本願発明の「着信情報記憶手段」に相当する。
　
（１０）　引用発明１の「キー部」とは、キーを用いて操作するものであるから、本願発明の「操作手段」に相当するものである。
　
（１１）　引用発明１の「表示部」は、実質的に本願発明の「表示手段」に相当する。
　
（１２）　引用発明１の「電話装置」は、デジタル信号により変調された無線信号を扱ってるから、デジタル無線電話機である。
　
２　したがって、上記（１）〜（１２）を勘案すると、本願発明と引用発明１は、以下の点で一致し、また相違している。
　
　（一致点）
　「制御情報を含む符号化デジタル信号により変調された無線信号を受信して復調出力する無線機手段と、
　該無線機手段から出力される前記復調された符号化デジタル信号から前記制御情報を復号する制御信号処理手段と、
　前記復号された制御情報に含まれる他機の電話番号情報の有無を通話回線を確立することなく検出する電話番号情報検出手段と、
　前記電話番号情報を複数記憶する着信情報記憶手段と、
　自機に所定の動作を行わせる操作信号を入力する操作手段と、
　前記電話番号情報に基づく表示情報を表示する表示手段と、
を備えたデジタル無線電話機。」
　
　（相違点１）
　電話番号情報の表示に関し、本願発明は、
「複数の表示情報は、表示手段に表示するために順位付けされ、当該順位付けに従い、操作信号に応じて前記表示情報が前記表示手段に表示され、
　前記順位付けが最も高い表示情報が表示された後に前記操作信号が入力されると、前記最も高い表示情報に続いて前記順位付けが最も低い表示情報が表示される」のに対し、引用発明１には、この構成要素がない点。
　
　（相違点２）
　電話番号情報の検出に関し、本願発明は、「他機の電話番号情報の有無を通話回線が確立する以前に検出する」のに対し、引用発明１では、「通話回線を確立することなく検出」しているものの、通話回線が確立する「以前」に検出しているものであるかが不明である点。
　
第４　当審の判断
　
１　上記相違点１について検討する。
　
　上記引用発明２の「表示動作を行わせる操作信号」は、動作を行わせる操作信号に含まれ、「表示切り替えキー」は、当然、操作手段であり、「電話番号に基づく表示情報」は、電話番号の情報に基づく表示のための情報であるから、電話番号情報に基づく表示情報である。すると、引用発明２には、
「自機に所定の動作を行わせる操作信号を入力する操作手段と、
　電話番号情報に基づく表示情報を表示する表示手段と、
を備え、
　複数の前記表示情報は、前記表示手段に表示するために順位付けされ、
　当該順位付けに従い、前記操作信号に応じて前記表示情報が前記表示手段に表示され、
　前記順位付けが最も高い表示情報が表示された後に前記操作信号が入力されると、前記最も高い表示情報に続いて前記順位付けが最も低い表示情報が表示される」
　構成が開示されている。
　
　引用発明１と引用発明２は、引用例１についての上記摘記事項 ア および引用例２についての上記摘記事項 キ の【００１７】段落に記載されるように、共に、携帯電話または自動車電話に係る電話装置という同一の技術分野に属するものであり、また、引用例１についての上記摘記事項 エ の【００１２】段落を参照すると「メモリ１４の記憶内容を利用して、電話をかけてきた相手に後で自動的に発信することも容易に行える」旨の記載があること、引用例２についての上記摘記事項 キ を参照すると「より多くの電話番号に対して、簡単なキー操作でリダイヤルすることができる。これに伴い、手の自由度が低い場面での使用が予想される移動体電話のキー操作がより簡便になる」旨の記載があることから、引用発明１と引用発明２とは、共に、記憶した情報を利用することで、利便性を高めたリダイヤル手段を提供するという点で自明の課題が共通するものであるから、引用発明１における電話番号情報の表示に関し、引用発明２の「複数の表示情報は、表示手段に表示するために順位付けされ、当該順位付けに従い、操作信号に応じて前記表示情報が前記表示手段に表示され、前記順位付けが最も高い表示情報が表示された後に前記操作信号が入力されると、前記最も高い表示情報に続いて前記順位付けが最も低い表示情報が表示される」構成を付加することは、当業者が容易になし得たことである。
　
２　上記相違点２について検討する。
　
　電話番号情報の検出に関し、「他機の電話番号情報の有無を通話回線が確立する以前に検出する」ことは、例えば当該技術分野における周知例として“中島昭久，山本浩治，澤田　寛，花岡光昭，吉村修一，「ディジタル移動通信網構成と信号方式」，ＮＴＴ　Ｒ＆Ｄ，社団法人電気通信協会，平成３年１０月１０日発行，第４０巻　第１０号，第１２７７−１２８４頁”の第１２８０頁の表１に記載されるように、本願発明の出願前に、「発信者番号通知」として既に広く知られていた周知な技術に基づくものであったから、この周知技術による構成を付加することで、本願発明のように、「他機の電話番号情報の有無を通話回線が確立する以前に検出する」ようにしたことは、当業者が容易になし得たことである。
　
　なお、本願発明が奏する効果についても、いずれも引用発明１、引用発明２および周知技術から当然に予測される程度のものにすぎず、格別顕著なものではない。
　
３　したがって、上記 １ および ２ から、本願発明は引用発明１、引用発明２および周知技術に基づいて容易に発明できたものである。
　
第５　結語
　
　以上のとおり、本願発明は、上記引用発明１、引用発明２および周知技術に基づいて、当業者が容易に発明をすることができたものであるから、特許法第２９条第２項の規定により特許を受けることができない。
　
　よって、結論のとおり審決する。